(57)【要約】  【課題】様々なセッションについてそのサービス品質を確定し、サービス品質の異なるセッションをそれぞれ異なるコアネットワークへ切り替えるセッション交換方法、及びその装置を提供する。  【解決手段】セッション交換装置500に、インターフェースプロセッサ505を介してSIPサーバーから取得したセッション情報と、予め定めたユーザー情報、およびアプリケーション情報を記憶するセッション交換テーブルデータベース504を設置する。セッション交換プロセッサ503は、これらユーザー情報とアプリケーション情報、及びセッション情報に基づき各セッションのサービス品質を決める。決められた各セッションのサービス品質に基づき、トンネル伝送が必要かどうか判断し、その判断に基づきトンネル接続を確立する。【選択図】  図５
2007110727.tif 000002
【特許請求の範囲】
【請求項１】
ネットワーク通信のための交換装置におけるセッション交換方法であって、
セッション管理設備からセッション情報を得るステップと、
取得した前記セッション情報と、予め定めたユーザー情報およびアプリケーション情報とを記憶するステップと、
記憶された前記ユーザー情報、前記アプリケーション情報、及び前記セッション情報に基づき、各セッションのデータをトンネル伝送する必要があるか否かを判断するステップと、
前記判断ステップの結果に基づき、前記セッションのデータを異なるコアネットワークへ切り替えて伝送するステップと
を含むセッション交換方法。
【請求項２】
請求項1記載のセッション交換方法であって、
前記セッション情報、前記ユーザー情報、及び前記アプリケーション情報をセッション交換テーブルデータベースに記憶する
セッション交換方法。
【請求項３】
請求項２記載のセッション交換方法であって、
前記セッション交換テーブルデータベースに、アプリケーションタイプとサービス品質のテーブル、前記ユーザー情報とサービス品質のテーブル、前記セッション情報のテーブル、及び前記セッションと前記トンネル伝送用のトンネルの対応テーブルを記憶する
セッション交換方法。
【請求項４】
請求項1記載のセッション交換方法であって、
前記セッションが前記ユーザー情報、または前記アプリケーションタイプによって識別される
セッション交換方法。
【請求項５】
請求項４記載のセッション交換方法であって、
前記ユーザー情報はユーザーIDを含み、前記ユーザーIDは前記セッションの発信元アドレスによって確定される
セッション交換方法。
【請求項６】
請求項４に記載のセッション交換方法であって、
前記アプリケーションタイプは、トランスポート層プロトコル、またはポート番号によって確定される
セッション交換方法。
【請求項７】
コアネットワークを介したユーザー間のネットワーク通信のためのセッション交換装置であって、
セッション管理装置からセッション情報を取得するセッション情報インターフェース部と、
取得した前記セッション情報と、予め定めたユーザー情報、およびアプリケーション情報を記憶する記憶部と、
前記ユーザー情報と前記アプリケーション情報、及び前記セッション情報に基づき、各セッションのサービス品質の決定と、トンネル伝送の必要性の有無の判断と、前記トンネル伝送が必要とされた前記セッションに対し、前記コアネットワークのエッジルーターとの間にトンネル接続を確立するセッション処理部と
からなるセッション交換装置。
【請求項８】
請求項７記載のセッション交換装置であって、
前記セッション処理部が、前記セッションの前記サービス品質に基づき、前記トンネル伝送の必要性の有無を判断する
セッション交換装置。
【請求項９】
請求項７記載のセッション交換装置であって、
前記セッション処理部は、
前記記憶部に記憶されている情報に基づいて前記各セッションを分析して前記セッションのサービス品質を確定し、前記セッションに対してセッションIDを付与するセッション分析モジュールと、
前記セッションID、及び確定された前記サービス品質に基づき前記セッションのデータを切り替えるセッション交換モジュールと、
トンネル処理が必要なそれぞれの前記セッションに対して前記トンネル接続を確立するトンネルモジュールと
からなる
セッション交換装置。
【請求項１０】
請求項７記載のセッション交換装置であって、
前記記憶部は、アプリケーションタイプとサービス品質のテーブル、前記ユーザー情報とサービス品質のテーブル、前記セッション情報のテーブル、前記セッションと前記トンネル伝送の対応のテーブルを記憶する
セッション交換装置。
【請求項１１】
請求項７記載のセッション交換装置であって、
前記セッション処理部は、
前記セッションを、前記ユーザー情報および前記アプリケーションタイプにより識別する
セッション交換装置。
【請求項１２】
請求項１１記載のセッション交換装置であって、
前記ユーザー情報はユーザーIDを含み、前記ユーザーIDは前記セッションの発信元アドレスによって確定し、前記アプリケーションタイプをトランスポート層プロトコル、またはポート番号によって確定する
セッション交換装置。
【発明の詳細な説明】
【技術分野】
【０００１】
本発明はIP電話技術に関し、とりわけ異なるセッションについてそのサービス品質を確定し、更にサービス品質が異なるセッションをそれぞれ異なるコアネットワークへ切り替えるセッション交換方法、及びその装置に関する。
【背景技術】
【０００２】
一般に、ユーザーがネットワークに接続する場合、まず認証、認可の過程を経てネットワークに接続した後、全てのユーザーデータは図１に示すように、接続ルーターを通りインターネットに転送される。ひとたび、データパケットの目的アドレスが確定すれば、データパケットの転送パスは接続ルーター等の保持するルーティング情報により確定される。
【０００３】
このネットワークに接続する各ユーザーに対して、IP(Internet Protocol)アドレスを割り当てる必要があるが、このようにIPアドレスを割り当てることによる、パブリックアドレスの浪費を防ぐために、接続するネットワークにトンネル方式が導入された。この方式では、レイヤ2トランスポートプロトコル(Layer Two Tunneling Protocol、L2TP)を用い、MPLS(Multi-Protocol Label Switching)ラベルスイッチパスに基づいて、LAC(L2TP Access Concentrator)とLNS(L2TP Network Server)との間にトンネルを張る。この技術を採用することにより、専用IPアドレスを使用することが可能になり、パブリックIPアドレスの浪費を防ぐことができる。
【０００４】
しかしこの方法では、トンネルが確立された後は、すべてのユーザーデータが同じトンネルによって伝送されることになる。L2TPを使用しているために、ユーザーのさまざまなアプリケーションデータを区別することができない。その結果、類似したウェブページブラウザのベストエフォート型のビジネスデータは、サービス品質を保証する必要のあるビジネスデータとバンド幅をめぐって争うことになるであろう。その結果、音声や映像等のサービス品質保証を必要とするアプリケーションにおけるサービス品質は、やがてその保障を得ることができなくなる恐れがある。
【０００５】
さらにモバイル端末にコンテンツを配布するために、インターネットにおける情報配布サーバーとモバイル端末間にコンテンツの送受信を行う情報配布システム（特許文献１）も必要となる。どの種類の通信環境でコンテンツを受け取るのか、あるサイトにおいてコンテンツを受信するのかどうか、などコンテンツを受け取るパターンが多様化しているために、ユーザーのコンテンツ受信における需要も多様化してきている。こうしたユーザーの必要に答えるために、端末と情報配布サーバーとの間の通信リンク状況に基づき、コンテンツの送受信に対して様々な通信ポリシーを用いることができる。コンテンツの送受信は接続中継装置、また配布中継装置によって中継する必要がある。
【０００６】
前述の情報配布システム（特許文献１）においては、通信端末、情報配布サーバー、配布中継装置、接続中継装置（情報配布サーバーが個人のネットワーク上にある場合）が協働し、通信端末と情報配布サーバーとの間にパスを確立することが必要である。ひとたび通信端末が受信したいコンテンツを選択すれば、端末からそのコンテンツが記憶されている情報配布サーバーへのパスが確立されることになる。そして、そのパスは、異なる通信リンクのリソース状況に基づいてのみ、そのパスにアプリケーションポリシーを変更することができる。
【０００７】
さらに、ユーザーに高速、高品質な共用サービスを提供するために、図２に示すようなVPN(Virtual Private Network）分離による通信ネットワーク技術が開発された（特許文献２）。この技術は特定のVPNを張ることにより、ユーザーへ共用の音声、映像サービスを提供でき、様々なクライアントユーザーが共用サービスのVPNを通じて直接通信を行うことができる。この技術における一つの重要な点は、ネットワークエッジにおいて、信頼でき安全な接続を確立し、それにより高速かつ高品質な共用サービスを実現したことである。
【０００８】
【特許文献１】特開2004-153776号公報
【特許文献２】US 2004/0223497 A1
【発明の開示】
【発明が解決しようとする課題】
【０００９】
前述のVPN分離よるソリューション（特許文献２）において、カスタマーエッジCE（Customer Edge）ルーターは一般ルーターであって、異なるサービスの区別については、IPデータグラムのヘッダー、dscp（Differentiated Service Code Point）の値にのみ基づいてその判断が行なわれる。ユーザー側におけるセッションの区別は、ユーザーがそれぞれ異なる仮想LAN(Virtual LAN, VLAN)を設定することによって初めて可能となる。さらにこの方法においては、ユーザーデータをVPNに転送するために、クライアントからCEルーターの間にVLANを設定し、またカスタマーエッジルーターCEと、プロバイダーエッジルーターPE（Provider Edge）の間にトンネルを確立し、かつプロバイダーエッジルーターPEにVRF（Virtual Routing Forwarding）を設置する必要がある。
【００１０】
本発明は、様々なセッションのサービス品質に基づき、そのサービス品質が異なるセッションを異なるコアネットワークへ切り替えることができるセッション交換方法、またその装置を提供する。
【課題を解決するための手段】
【００１１】
本発明は、ネットワーク通信のための交換装置におけるセッション交換方法であって、セッション管理設備からセッション情報を得るステップと、取得したセッション情報と、予め定めたユーザー情報およびアプリケーション情報とを記憶するステップと、記憶されたユーザー情報、アプリケーション情報、及びセッション情報に基づき、ユーザーから送られてくる各セッションのデータをトンネル伝送する必要性の有無を判断するステップと、判断ステップの結果に基づき、各セッションのデータを異なるコアネットワークへ切り替えて伝送するステップとを含むセッション交換方法を提供する。
【００１２】
また、本発明は、コアネットワークを介してユーザー間でネットワーク通信を行わせるセッション交換装置であって、セッション管理装置からセッション情報を取得するセッション情報インターフェース部と、取得したセッション情報と、予め定めたユーザー情報、およびアプリケーション情報を記憶する記憶部と、ユーザー情報とアプリケーション情報、及びセッション情報に基づき、各セッションのサービス品質の決定と、トンネル伝送の必要性の有無の判断と、トンネル伝送が必要とされたセッションに対し、コアネットワークのエッジルーターとの間にトンネル接続を確立するセッション処理部とからなるセッション交換装置を提供する。
【００１３】
本発明の方法では、ネットワーク上のユーザー情報、またセッション情報に基づき、異なるセッションがセッション交換装置により、それぞれ異なるコアネットワークへ切り替えられる。好適には、交換の過程には以下に記す幾つかのステップが含まれる。まずセッションに関する情報を取得し、ユーザー情報、セッション情報の調査後、セッションのサービス品質を確定する。セッションのサービス品質に基づき、セッション交換装置とネットワークのエッジルーター間にIpv6（Internet Protocol Version 6）トンネルを確立するかどうかを決定し、それにより高品質のサービス品質を必要とするセッションをサービス品質の保証されたコアネットワークへ切り替える。さらにこの方法を可能にする装置として、サービス品質の保証サービスを申込んだユーザーに対して、その高サービス品質を持つセッションデータを、サービス品質の保証されたコアネットワークへ切り替える装置があり、それによりプロバイダーはサービス品質を区別したさまざまなサービスを提供することが可能となる。
【００１４】
本発明はセッション交換方法を提案するもので、その特徴はセッション情報を取得し、セッションのサービス品質の確定を行い、その後セッションのサービス品質に基づきトンネル技術によってセッションをサービス品質の保証されたコアネットワークへ切り替えるかどうかを決め、高品質のサービス品質を持つセッションに対してセッション交換装置からサービス品質の保証されたコアネットワークのエッジルーターの間にトンネルを確立することにある。
【００１５】
また、セッション交換装置として、ルーティング機能実行に用いるルーティングテーブルデータベースとルーティングプロセッサ、セッション管理設備からセッション情報の取得に用いるセッション情報インターフェースプロセッサ、ユーザー情報、アプリケーション情報、ユーザー又はアプリケーションのサービス品質要求、セッション情報を保存するセッション交換表、セッションのサービス品質を確定およびセッション交換に用いるセッション交換プロセッサが含まれた構成を提供する。
【発明の効果】
【００１６】
本発明により、様々なセッションについて、ユーザー情報やアプリケーション情報に基づき、そのサービス品質を確定し、サービス品質の異なるセッションをそれぞれ異なるコアネットワークへ切り替えることができ、ネットワークの効率的な使用が可能となる。
【発明を実施するための最良の形態】
【００１７】
以下に本発明の最良の実施形態を図面を用いて詳述する。
【実施例１】
【００１８】
図３は第一の実施例のネットワーク通信システム、即ち、セッション交換ネットワークの概略を示す図である。図３において、ユーザー301はセッション交換装置302を通りネットワーク310に接続されている。ユーザー301は、セッション交換装置306を通りネットワーク313に接続したユーザー305と通信を行う。これら接続ネットワーク310、313は、異なるコアネットワーク311、312に接続している。システムには更にSIP(Session Initiation Protocol)サーバー303のようなセッション管理装置が含まれる。コアネットワーク311はサービス品質保証を提供するネットワークであり、コアネットワーク312はベストエフォート型のネットワークである。
【００１９】
後で詳述するように、本実施例におけるセッション交換装置302は、セッション交換機能モジュールと接続ルーティングモジュールによって構成され、セッション交換装置302はユーザー301がネットワーク310に有効接続する途中に配置され、ユーザー301はそのセッション交換装置302を通りネットワークにアクセスすることになる。
【００２０】
このセッション交換装置302はセッション管理装置であるSIPサーバー303からセッション情報を取得し、さらに接続ネットワーク310に、サービス品質保証のあるコアネットワーク311のエッジルーター304に至るトンネル320を確立する。こうしてユーザー301からユーザー305へのデータはトンネル320を通ってサービス品質保証のあるコアネットワーク311への転送することが可能となる。ユーザー305からユーザー301へのデータも同じ過程を経て、セッション交換装置306によってトンネル321を通り、サービス品質保証のあるコアネットワーク311に転送することができる。こうしてユーザー301とユーザー305の間における通信のサービス品質を保証する。
【００２１】
図５は図３に示したセッション交換装置の具体的な一実施例の構成を示す図である。セッション交換装置500内のルーティングテーブルデータベース501とルーティングプロセッサ502はデータ転送に使用する。セッション処理部であるセッション交換プロセッサ503は異なるセッションをそれぞれ異なるコアネットワークへの切り替えに使用する。なお、セッション交換装置500における各プロセッサを処理部、テーブルデータベースを記憶部と呼ぶことがある。
【００２２】
セッション交換テーブルデータベース504には４つの部分が含まれている。一つはアプリケーション情報を記憶する部分で、このアプリケーション情報にはアプリケーションタイプ、またアプリケーションのサービス品質が含まれている。もう一つはユーザー情報を記憶する部分で、このユーザー情報にはユーザーID、ユーザーのIPアドレス、またサービス品質が含まれている。さらに、セッション情報を記憶する部分、及びセッションとトンネル伝送のためのトンネルとの対応関係を記憶する部分が含まれている。このセッション交換テーブルデータベース504の詳細と、そのコンテンツ取得方法については後ほど詳しく説明する。
【００２３】
セッション情報インターフェースプロセッサ505は、図３に示すSIPサーバー303のようなセッション管理装置から、現在のセッション情報の取得に使用するインターフェースの機能を有する。セッション交換装置302はこのインターフェースを通してセッション情報を取得し、セッション交換テーブルデータベース504に記憶することができる。セッション交換プロセッサ503は、セッション交換テーブル504の中のデータに基づき、ユーザーデータパケットを調べ、ユーザーデータのサービス品質を確定し、更に高品質のサービス品質を持つデータパケットに対しては、トンネル機能を実行する。こうして高品質のサービス品質を持つデータパケットを、サービス品質の保証されたコアネットワーク311へ切り替える。
【００２４】
図６は、図５におけるセッション処理部であるセッション交換プロセッサ503の処理過程の一例を示した図である。セッション交換プロセッサ503には、通常、プロセッサのプログラムなどで構成される3つのモジュールが含まれている。すなわちセッション分析モジュール601、セッション交換モジュール602、トンネルモジュール603である。
【００２５】
さて、セッション分析モジュール601では、セッション交換テーブルデータベース504に記憶されている情報に基づき、現在の各セッションを分析し、かつセッションのサービス品質を確定し、セッションに対してセッションIDを割り当てる。セッションID、またそれに対応するサービス品質はセッション交換テーブルデータベース504に記憶されている。セッション交換モジュール602は、セッションID、またそのサービス品質に基づき、セッションデータパケットをそれぞれ異なるモジュールへ切り替える。トンネルモジュール603は処理を必要とする各データパケットに対してトンネル機能を実行する。
【００２６】
次に、図５に示した本実施例のセッション交換装置500の作業過程の詳細な説明を行う。セッション交換装置500のセッション交換テーブルデータベース504は、ユーザーがセッションを確立する前に配置される必要がある。
【００２７】
図7は、図5におけるセッション交換テーブルデータベース504の一実施例を示す図である。701はアプリケーションタイプとそのサービス品質についての対応関係を記憶するものである。702は上述したユーザー情報の記憶に使用されるものである。703はセッション情報を記憶するものである。
【００２８】
テーブル701に示すアプリケーションタイプとそのサービス品質についての対応関係は、予めセッション交換装置500に記憶され、また手動による配置が可能である。テーブル702のユーザーのサービス品質タイプには、ユーザーの異なるタイプのアプリケーションに対するサービス品質要求が含まれる。例えば、サービス品質タイプＡについては、ユーザー音声、映像のサービス品質保証を必要とするものである。サービス品質タイプＢについては、ユーザーが音声、映像のサービス品質保証を必要としないものである。またユーザーが求める他のサービス品質タイプを定義する事も可能である。最初の段階で、ユーザーはネットワーク上でユーザー名、またサービス品質要求についての登録を行い、それによりネットワークアクセスのためのIPアドレスを取得する。これらの情報はセッション交換装置500に送信され、セッション交換テーブルデータベース504に記憶される。
【００２９】
ユーザー情報がネットワーク接続の過程において有効となり、ユーザーがセッションを確立する際、セッション管理装置としてのSIPサーバー303に対してセッション確立要求を送信する。このセッション確立要求にはセッション情報が含まれている。セッション管理装置であるSIPサーバー303はセッション情報を取り出し、セッション情報をセッション交換装置500のセッション情報インターフェースプロセッサ505に送信し、セッション交換装置500はこのセッション情報をセッション情報テーブル703に記憶する。
【００３０】
図４に、ユーザーがネットワークにログイン後、セッションを確立し他のユーザーと通信を行うまでの一連の処理フローを示す。この一連の処理フローはRFC（Request For Comment）3261に規定されたSIP(Session Initiation Protocol)に基づいている。図４において、Inviteは、セッション確立要求を、180（Ringing）は呼出中を、200（OK）は成功レスポンスをそれぞれ示している。
【００３１】
さて、図４に示すように、サービス品質保証を持つコアネットワークのトンネルを確立するために、ユーザーはまずSIPサーバー303にセッション確立要求Inviteを送信してセッションを開始する。SIPサーバー303はこのセッション確立要求Inviteの中に含まれるセッションの関連情報を取り出し、その情報をセッション交換装置500に送信する。セッション交換装置500はユーザー情報、アプリケーション情報に基づきセッションのサービス品質を確定する。SIPサーバー303がセッションを確立のプロセスを完了した後、ユーザーデータをセッション交換装置500に伝送する際、セッション交換装置500はデータのセッションのサービス品質を探索する。高品質のサービス品質を持つデータについては、セッション交換装置500はそのデータパケットをトンネルによりサービス品質の保証されたコアネットワーク311に送信する。
【００３２】
上述したように、図7のテーブル703はセッション情報を示すものである。これらの情報はセッション情報インターフェースプロセッサ505によって、セッション管理装置であるSIPサーバー303から取得する。セッション交換プロセッサ503は、セッション交換テーブルデータベース504の中にあるテーブル701、702、703に記憶されている情報に基づき、セッションを分析し、セッションとそのサービス品質についての対応関係を作成する。図７のテーブル704はその対応関係を示すものである。そして、セッション交換プロセッサ503は、対応付けられたサービス品質に基づいて、そのセッションにトンネルを確立するかどうかを決定する。
【００３３】
図８は、図６に示したセッション分析モジュール601の作業プロセスの詳細を示したフロー図である。各セッションはそのユーザー、またアプリケーションによって識別される。ユーザーIDはセッションの発信元アドレス（IPアドレス）によって確定され、この発信元アドレスはユーザーがネットワークログインする認証の過程において取得する。アプリケーションタイプはトランスポート層プロトコル、またポート番号によって確定される。
【００３４】
セッション分析モジュール601は、まずセッションの発信元アドレス（IPアドレス）を取得し（801）、その発信元アドレスに基づきセッション交換テーブル（図７の702）中のユーザーサービス品質タイプを検索する（802）。ユーザーのサービス品質タイプがＡの場合、そのセッションはさらに分析される。ユーザーのサービス品質タイプがＢの場合には、そのセッションのサービス品質は、低レベルとして確定される。
【００３５】
次に、セッション分析モジュール601はそのセッションのトランスポート層プロトコル、またポート番号を取得し（803）、それらの情報に基づきそのセッションのアプリケーションタイプを確定し、セッション交換テーブル（図７の701）中のアプリケーション情報を検索する（804）。音声、映像など、データパケットのアプリケーションのサービス品質が高レベルのものである場合、そのセッションのサービス品質は、高レベルとされる。それ以外の場合、そのセッションのサービス品質は低レベルとされる。高サービス品質のセッションに対しては、トンネルモジュール603が現存のトンネルを探索し、もしトンネルがなければ新たなトンネルを確立しセッションのデータを伝送する。セッションとトンネルの対応情報は上述の通り、セッショントンネル対応テーブル（図７の704）に記されている。
【００３６】
図９は、図６に示したセッション交換プロセッサおけるセッション交換モジュール602の作業プロセスを示したフロー図である。セッション交換モジュール602は、データパケットを異なるプロセスへ切り替える。セッション交換モジュール602は受信した各データパケットを分析し、更にセッション交換テーブルに基づいて、データパケットのセッションを確定する。すなわちテーブル703の中に記憶されている情報に基づき、データパケットの発信元アドレス、目的アドレスとポート番号の対応からセッションIDを確定する（901）。次に、セッション交換モジュール602は、確定したデータパケットのセッションIDに基づき、セッションとトンネルの対応テーブル704を検索して、必要なサービス品質を調べる（902）。そして、データパケットのサービス品質が高レベルの場合は、トンネルプロセス（903）へ、それ以外の場合は、一般ルーティングプロセス（904）へと切り替えを実行する。
【００３７】
なお、図６におけるトンネルモジュール603は、セッション交換装置302の配置に基づき、ネットワーク311のエッジルーター304との間にIpv6（Internet Protocol Version 6）トンネルを確立する。Ipv6トンネルは、既存のメカニズムであり、データパケットをIpv6パケットのペイロードとしてカプセル化を行う。カプセル化されたデータパケットはIpv6トンネルデータパケットと呼ばれる。トンネルデータパケットの発信元アドレスと目的アドレスにより構成される転送パスは、Ipv6トンネルと呼ばれる。トンネルプロセス処理が施される各データパケットに対して、トンネルプロセスはカプセル化によりそれをIpv6トンネルデータパケットとする。
【００３８】
図３に示した第一の実施例のセッション交換ネットワークシステムにおいて、トンネルの発信元アドレスはセッション交換装置302のアドレスであり、目的アドレスはサービス品質の保証されたコアネットワークにおけるエッジルーター304のアドレスである。こうしてユーザーデータは、セッション交換装置302からサービス品質の保証されたコアネットワークのエッジルーター304までのトンネルで伝送される。なお、セッション交換装置306とエッジルーター307との間のトンネルについても同様である。
【００３９】
以上詳述してきた本発明のセッション交換装置によって、ユーザー情報、アプリケーション情報に基づき、それぞれのセッション毎にユーザーデータのサービス品質を区別することが可能となる。こうして、さまざまなユーザーデータが、それぞれ異なるコアネットワークへと切り替えられる。その結果プロバイダーはより便利な仕方で、ユーザーにさまざまなサービス品質を持つサービスを提供することが可能になるのである。
【００４０】
さらに、本発明においては、コアネットワークの設備に対して特別に要求すべきことは無い。また、トンネル技術は現在のルーティング製品におけるIpv6プロトコルスタックの基本的な機能である。そのため、ネットワークに接続するユーザー側がセッション交換装置を取り入れ、コアネットワークのエッジルーターにおいてトンネル機能を配置するだけで、プロバイダーは本発明によるソリューションを用いることが可能となるのである。
【図面の簡単な説明】
【００４１】
【図１】従来の技術におけるIP電話交換のネットワークシステムを示す図。
【図２】従来の技術によるVPN分離による通信ネットワークを示す図。
【図３】第一の実施例のセッション交換ネットワークの配置図。
【図４】第一の実施例のセッション交換のプロセスを示す図。
【図５】第一の実施例のセッション交換装置のシステムブロック図。
【図６】図5に示した第一の実施例のセッション交換プロセッサの機能モジュールを示す図。
【図７】第一の実施例におけるセッション交換テーブルの一実施例を示す図。
【図８】第一の実施例のセッション分析プロセスを示す図。
【図９】第一の実施例のセッション交換プロセスを示す図。
【符号の説明】
【００４２】
302、306…セッション交換装置、303…SIPサーバー、304、307…エッジルーター、310、313…接続ネットワーク、311、312…コアネットワーク、320、321…伝送トンネル、500…セッション交換装置、501…ルーティングテーブルデータベース、502…ルーティングプロセッサ、503…セッション交換プロセッサ、504…セッション交換テーブルデータベース、505…セッション交換インタフェースプロセッサ、601…セッション分析モジュール、602…セッション交換モジュール、603…トンネルモジュール。
【図１】
2007110727.tif 000003
【図２】
2007110727.tif 000004
【図３】
2007110727.tif 000005
【図４】
2007110727.tif 000006
【図５】
2007110727.tif 000007
【図６】
2007110727.tif 000008
【図７】
2007110727.tif 000009
【図８】
2007110727.tif 000010
【図９】
2007110727.tif 000011